(57)【要約】【課題】  落下時に表示装置が破損することを防止することの可能な電子機器を提供することを目的とする。【解決手段】  下部筐体７の内面７ａに梁３０が設けられ、梁３０は下部筐体７の外周壁７ｂとは独立している。梁３０は、下部筐体７の内面７ａから上部筐体６の方に向かって伸び、梁３０の先端部３０ａは表示装置５の上面５ａよりも上部筐体６側に突出している。  このような構造を採用することで、梁３０は、例えば電子機器１が落下したことにより表示装置５に振動や衝撃が加わった時に、表示装置５の上面５ａよりも突出している梁３０の先端部３０ａが上部筐体６に接触するため、表示装置５にかかる荷重を減らし表示装置５の破損を抑制することが出来る。【選択図】  図４
2008233337.tif 000002
【特許請求の範囲】
【請求項１】
本体と、
前記本体に回動可能に取り付けられ、第１の筐体と第２の筐体とを有する表示筐体と、
前記表示筐体内に設けられる表示装置と、
前記第１の筐体内面に設けられる少なくとも一つの梁部と、を備え、
前記梁部の先端部と前記第２の筐体との間隔が、前記表示装置と前記第１の筐体との間隔よりも小さいことを特徴とする電子機器。
【請求項２】
前記表示装置と前記第１の筐体との間隔と、前記表示装置と前記第２の筐体との間隔と、の和よりも、前記梁部の先端部と前記第２の筐体内面との間隔が小さいことを特徴とする請求項１記載の電子機器。
【請求項３】
前記梁部は、前記表示装置の辺に沿って設けられることを特徴とする請求項１記載の電子機器。
【請求項４】
前記第２の筐体の外面には、前記第１の筐体内面に設けられる梁部の延長線上に突起が設けられることを特徴とする請求項１記載の電子機器。
【請求項５】
前記表示装置が閉じられ前記本体を覆う状態において、前記本体の上面には、前記第１の筐体内面に設けられる梁部の延長線上に突起を設けられることを特徴とする請求項１記載の電子機器。
【請求項６】
前記第１の筐体に設けられる第１の突起と、前記表示装置が閉じられ前記本体を覆う状態において、前記第１の突起に対向して前記本体の上面に設けられる第２の突起とを備えることを特徴とする請求項１記載の電子機器。
【請求項７】
前記第１の筐体の内面に前記表示装置と間隔を介して設けられる緩衝材を備えることを特徴とする請求項１記載の電子機器。
【発明の詳細な説明】
【技術分野】
【０００１】
本発明は、電子機器に関し、特に表示装置の構造に関する。
【背景技術】
【０００２】
近年、携帯電話やＰＤＡ、ノート型パーソナルコンピュータ等のように持ち運ぶことの可能な電子機器が広く使用されている。これらの電子機器は持ち運んで使用するため、外的な振動や落下等の衝撃に耐えられる構造や強度が必要とされる。電子機器の中でも、ＬＣＤ等の表示装置は壊れやすい部品の一つであり、破損を抑えるために表示装置の周辺に梁や緩衝材を配置する等の対策がなされている。
【０００３】
電子機器の落下による内部部品の破損を防ぐ技術として、例えば特許文献１に記載されているものが挙げられる。  パーソナルコンピュータの表示部の裏ケース内面から突出し、表ケース内面に当接するようにＬＣＤ周囲に突起が設けられている。インバータ回路をこの突起よりも低い位置に載置することで、落下等により衝撃を受けた際にも、インバータ回路の保護を図っている。
【特許文献１】特開２００６−１５５４０５号公報
【発明の開示】
【発明が解決しようとする課題】
【０００４】
上記の方式では、表ケースと保護するべきインバータ回路との間にクリアランスが設けられているものの、落下等の衝撃により表ケース自体が変形し陥没した場合等には、インバータ回路を保護することができないという問題がある。
【０００５】
そこで本発明の目的は、落下時に表示装置が破損することを防止することの可能な電子機器を提供することにある。
【課題を解決するための手段】
【０００６】
上記目的を達成するために本発明に係る電子機器は、本体と、前記本体に回動可能に取り付けられ、第１の筐体と第２の筐体とを有する表示筐体と、前記表示筐体内に設けられる表示装置と、前記第１の筐体内面に設けられる少なくとも一つの梁部と、を備え、前記表示装置と前記第１の筐体との間隔と、前記表示装置と前記第２の筐体との間隔と、の和よりも、前記梁部の先端部と前記第２の筐体内面との間隔が小さいことを特徴とする。
【発明の効果】
【０００７】
本発明によれば、落下時に表示装置が破損することを防止することの可能な電子機器を提供することができる。
【発明を実施するための最良の形態】
【０００８】
以下本発明に係る実施の形態を、図面を参照して説明する。図１は本実施形態に係る電子機器の外観を示す斜視図である。電子機器１は本体２を備え、本体２には表示筐体３がヒンジ部４を介して回動可能に取り付けられている。表示筐体３には、LCD（Liquid Crystal Display）等の表示装置５が組み込まれ、表示装置５は上部筐体６と下部筐体７とにより覆われる。
【０００９】
本体２の上面２ａにはタッチパッド８およびキーボード９が取り付けられている。本体２は樹脂製あるいはマグネシウム合金等の金属製の上ケース１０及び下ケース１１を有し、本体２内には複数の電子部品を搭載した図示しない回路基板が収容されている。
【００１０】
図２および図３は本実施形態に係る電子機器の表示筐体の分解斜視図である。表示装置５は上部筐体６と下部筐体７とに挟まれるようにして表示筐体３に組み込まれる。表示装置５には、インバータ回路２０が設けられる。インバータ回路２０は、表示装置５に並行して配置される図示しないバックライトに電力を供給する。
【００１１】
表示装置５は固定部材２１とネジ止めされ、固定部材２１に設けられたネジ穴を介して下部筐体７にネジ止めされる。固定部材２１を用いて表示装置２１が下部筐体７にネジ止めされた上で、上部筐体６が被せられ、上部筐体６と下部筐体７で構成される表示筐体３に表示装置５が収容される。
【００１２】
ネジ固定などによって板金などの固定部材２１で取り付られた表示装置５に対して外的な振動や衝撃が加わった場合，固定部材２１の弾性変形もしくは塑性変形によって表示装置５が移動し、上部筐体６や下部筐体７などの周囲の構造物が強く接触して、ガラス等でできた表示装置５が破損する恐れがある。
【００１３】
本実施形態に係る電子機器１は、下部筐体７の内面７ａに梁３０が設けられ、梁３０は下部筐体７の外周壁７ｂとは独立している。梁３０は、下部筐体７の内面７ａから上部筐体６の方に向かって伸び、梁３０の先端部３０ａは表示装置５の上面５ａよりも上部筐体６側に突出している。
【００１４】
このような構造を採用することで、梁３０は、例えば電子機器１が落下したことにより表示装置５に振動や衝撃が加わった時に、表示装置５の上面５ａよりも突出している梁３０の先端部３０ａが上部筐体６に接触するため、表示装置５と上部筐体６とが衝突して表示装置５が割れる危険性を低減することができる。
【００１５】
図４は本実施形態に表示装置と梁との位置関係を模式的に示す断面図である。図４では、本体２と、表示装置５の組み込まれた上部筐体６および下部筐体７とを分離した形で本実施形態の説明に必要な構成を示し、ヒンジ部４やキーボード９等は省略する。図４に示すように、このときの寸法は例えば、以下のようなものとすることができる。梁３０の先端部３０ａと上部筐体６の内面６ａとは距離ｂを隔てられている。表示装置５が上部筐体６から開放される側である上面５ａと上部筐体６の内面６ａとは距離ｃが隔てられている。表示装置５が下部筐体７に覆われる側の背面５ｂと下部筐体７とは距離ｄが隔てられている。距離ｂと距離ｃと距離ｄとの関係において、距離ｂを、距離ｃと距離ｄとの和より小さくなるようにすることで（ｂ<ｃ＋ｄ），電子機器１に振動や衝撃が加わった際に電子機器１にかかる慣性力を梁３０で受け止めるようにすることができる。電子機器１に振動や衝撃が加わった際に、表示装置５が上部筐体６の内面６ａや下部筐体７の内面７ａに接触するよりも先に梁３０の先端部３０ａが上部筐体６の内面６ａに接触することで、表示装置５にかかる荷重を減らし表示装置５の破損を抑制することが出来る。
【００１６】
図４には、梁３０が下部筐体７の内面７ａに設けられ、梁３０の先端部３０ａが上部筐体６の内面６ａを向いている図を示しているが、梁３０を上部筐体６の内面６ａに設けて梁３０の先端部３０ａが下部筐体７の内面７ａを向くようにしても良い。また、図３には、梁３０が複数に分けられて設けられているが、図５に示すように梁を下部筐体７の外周壁７ｂや表示装置５の辺５ｃに沿うようにして一体に連続的に形成した梁３２として設けても良い。
【００１７】
図６は第２の実施形態に係る表示装置と筐体に設けられた梁と突起とを示す断面図である。以降の説明で、第１の実施形態で示した構成と同一のものには同一の符号を付し、重複する説明を省略する。第２の実施形態では、本体２の上面２ａに突起４０が設けられる。表示筐体３を閉じた状態で、この突起４０は表示筐体３内に設けられた梁３０に対向する位置に設けられる。
【００１８】
表示筐体３を閉じた状態で電子機器１が落下するなどして振動や衝撃が加わった際にも、突起４０に対向する位置に設けられた梁３０が、突起４０を支えることで、本体２の慣性力が上部筐体６を通じて表示装置５の上面５ａに伝わるのを抑制することができる。したがって、電子機器１の落下などの際に表示装置５が破損することを防止することができる。
【００１９】
表示筐体３内に設けられた複数の梁３０の位置に対応して、突起４０は本体２の上面２ａに複数設けることができる。
【００２０】
表示筐体３内に設けられた梁３０が下部筐体７の外周壁７ｂや表示装置５の辺５ｃに沿うようにして、一体に連続的に設けられている場合は、この突起４０を梁３０に沿うようにして、間隔をあけて複数設けても良い。
【００２１】
また、図７に示すように、表示筐体３を閉じた状態で本体２の上面２ａに設けられた突起４０に対向する位置に、突起４１を上部筐体６に設けて、本体２側の突起４０と表示筐体３の上部筐体６側に設けられた突起４１とが重なるようにしても良い。本体２側と、表示筐体３側の両方に突起４０、４１を設けることで、表示筐体３を閉じた状態で電子機器１が落下するなどして振動や衝撃が加わった際にも、突起４０に対向する位置に設けられた梁３０および突起４１が、突起４０を支えることで、本体２の慣性力が上部筐体６を通じて表示装置５の上面５ａに伝わるのを抑制することができる。したがって、電子機器１の落下などの際に表示装置５が破損することを防止することができる。
【００２２】
図８は第３の実施形態に係る表示装置と筐体に設けられた梁と突起とを示す断面図である。第３の実施形態では、本体２の上面２ａに突起４０を設け、この突起４０は表示筐体３内に設けられた梁３０に対向する位置に設けられる。本体２の下ケース１１の内面１１ａには、表示筐体３を閉じた状態で表示筐体３内に設けられた梁３０に対向する位置に梁３１が設けられる。
【００２３】
表示筐体３側に梁３０を設けるだけでなく、本体２側にも梁３１を設けることで本体２および表示筐体３の剛性を高くすることができる。電子機器１が落下などした際に、下ケース１１の内面１１ａに設けられた梁３１の先端部３１ａが上ケース１０の内面１０ａに接触し、本体２の上面２ａが変形するのを防止し、上部筐体６が本体２の上面２ａに接触して変形することも防止することができる。図７では本体２の上面２ａに突起４０を設けている例を示しているが、突起を表示筐体３側の上部筐体６に設けても良い。
【００２４】
図９は第４の実施形態に係る表示装置と筐体に設けられた梁と突起とを示す断面図である。第４の実施形態では、表示筐体３内の表示装置５の背面５ｂ側に緩衝材５０が設けられる。緩衝材５０は、下部筐体７の内面７ａにエポキシ系接着剤等を用いて接着される。表示装置５の背面５ａに緩衝材５０を設けることで、電子機器１が落下する等して表示装置５と下部筐体７とが接触して表示装置５に加わる応力を低減することができる。
【００２５】
緩衝材５０に応力が掛かっていない時の緩衝材５０の厚さをｅとして、緩衝材５０に応力が掛かり圧縮され変形した時の最小厚さをｅ'として、表示装置５と緩衝材５０との距離をｆとすると、表示装置５の背面５ａと下部筐体７の内面７ａとの距離ｄは、例えばｄ>｛ｆ＋（ｅ−ｅ'）｝を満たすように設定することができる。表示装置５と下部筐体７の内面７ａとの間に、緩衝材５０が応力を受けて変形し縮む分と、表示装置５の背面５ｂと緩衝材５０との距離を空けておくことで、表示装置５と下部筐体７とのクリアランスを設けるとともに、緩衝材５０が変形可能な範囲内での衝撃に対しては表示装置５と下部筐体７の内面７ａとの接触を防止して、表示装置５に加わる応力を低減することができる。
【００２６】
上記の説明のように、本発明の実施形態によれば落下時に表示装置が破損することを防止することの可能な電子機器を提供することができる。
【００２７】
本発明ではその主旨を逸脱しない範囲であれば、上記の実施形態に限定されるものではなく種々の変形が可能である。
【図面の簡単な説明】
【００２８】
【図１】本実施形態に係る電子機器の外観を示す斜視図。
【図２】本実施形態に係る電子機器の表示筐体の分解斜視図。
【図３】本実施形態に係る電子機器の表示筐体の分解斜視図。
【図４】本実施形態に係る表示装置と梁との位置関係を模式的に示す断面図。
【図５】本実施形態に係る電子機器の他の表示筐体の分解斜視図。
【図６】第２の実施形態に係る表示装置と筐体に設けられた梁と突起とを示す断面図。
【図７】第２の実施形態に係る表示装置と筐体に設けられた梁と突起とを示す断面図。
【図８】第３の実施形態に係る表示装置と筐体に設けられた梁と突起とを示す断面図。
【図９】第４の実施形態に係る表示装置と筐体に設けられた梁と突起とを示す断面図。
【符号の説明】
【００２９】
１…電子機器、２…本体、３…表示筐体、４…ヒンジ部、５…表示装置、６…上部筐体、７…下部筐体、１０…上ケース、１１…下ケース、２１…固定部材、３０…梁、３１…梁、３２…梁、４０…突起、４１…突起、５０…緩衝材
【図１】
2008233337.tif 000003
【図２】
2008233337.tif 000004
【図３】
2008233337.tif 000005
【図４】
2008233337.tif 000006
【図５】
2008233337.tif 000007
【図６】
2008233337.tif 000008
【図７】
2008233337.tif 000009
【図８】
2008233337.tif 000010
【図９】
2008233337.tif 000011